(57)【要約】【課題】操作パネルに表示される操作設定の有効と無効の切り替えの手間を軽減する。【解決手段】表示部５２に表示される画面毎に、入力部５１による入力の有効又は無効に連動させる入力部群を記憶する入力部群記憶手段６２と、表示部に表示される互いの画面間で入力部による入力の有効又は無効に連動させる入力部群を有する画面群を記憶する画面群記憶手段６２と、を備え、制御手段６は、操作条件が第１の条件を満たす場合に、ユーザーにより押下された入力部による入力を有効又は無効に切り替え、第２の条件を満たす場合に、ユーザーにより押下された入力部と同じ群の入力部による入力を有効又は無効に切り替え、第３の条件を満たす場合に、ユーザーにより押下された入力部を含む入力部群を有する各画面の入力部と同じ群の入力部による入力を有効又は無効に切り替えるように連動させる。【選択図】図２
2010088495.tif 000002
【特許請求の範囲】
【請求項１】
縫製に際してユーザーからの指示入力がなされる複数の入力部と、前記複数の入力部の表示と共にユーザーに報知する複数の画面情報を表示する表示部と、を備える操作パネルと、
ユーザーに押下された前記入力部の操作条件を検出して、予め記憶した設定条件を満たすか否かを判別して前記入力部による入力を有効又は無効に切り替える制御手段と、を備えるミシンにおいて、
前記表示部に表示される画面毎に、前記入力部による入力の有効又は無効に連動させる入力部群を記憶する入力部群記憶手段と、
前記表示部に表示される互いの画面間で前記入力部による入力の有効又は無効に連動させる入力部群を有する画面群を記憶する画面群記憶手段と、を備え、
前記制御手段は、
前記設定条件が少なくとも第1の条件、第２の条件、第３の条件であって、
前記入力部の操作条件が第１の条件を満たす場合に、ユーザーにより押下された入力部による入力を有効又は無効に切り替え、
前記操作条件が前記第２の条件を満たす場合に、前記入力部群記憶手段に記憶されているユーザーにより押下された入力部と同じ群の入力部による入力を有効又は無効に切り替え、
前記操作条件が前記第３の条件を満たす場合に、前記画面群記憶手段に記憶されているユーザーにより押下された入力部を含む入力部群を有する各画面の入力部と同じ群の入力部による入力を有効又は無効に切り替えるように連動させることを特徴とするミシン。
【請求項２】
前記設定条件は、前記入力部の連続押下時間であり、前記第１〜第３の条件の順により長い押下時間が設定され、
前記制御手段は、
前記入力部の連続押下時間が第１の連続押下時間以上で第２の連続押下時間未満である場合に、第１の条件を満たすとして、ユーザーにより押下された入力部による入力を有効又は無効に切り替え、
前記入力部の連続押下時間が第２の連続押下時間以上で第３の連続押下時間未満である場合に、第２の条件を満たすとして、前記入力部群記憶手段に記憶されているユーザーにより押下された入力部と同じ群の入力部による入力を有効又は無効に切り替え、
前記入力部の連続押下時間が第３の連続押下時間以上である場合に、第３の条件を満たすとして、前記画面群記憶手段に記憶されているユーザーにより押下された入力部を含む入力部群を有する各画面の入力部と同じ群の入力部による入力を有効又は無効に切り替えるように連動させることを特徴とする請求項１に記載のミシン。
【請求項３】
ユーザーに押下された入力部毎、前記入力部群記憶手段に記憶された入力部群毎、前記画面群記憶手段に記憶された画面群毎のいずれの範囲で入力部による入力を有効又は無効に切り替えるように連動させるかを設定する範囲設定手段を備えることを特徴とする請求項１又は２に記載のミシン。
【請求項４】
前記制御手段は、入力を有効又は無効に切り替えるように連動させる入力部の表示を同一色で表示させることを特徴とする請求項１〜３のいずれか一項に記載のミシン。
【発明の詳細な説明】
【技術分野】
【０００１】
本発明は、ユーザーに報知する情報を表示するとともにユーザーからの指示入力がなされる操作パネルを備えるミシンに関する。
【背景技術】
【０００２】
ミシンの操作パネルは、タッチパネル式のものが主流であり、操作パネルの表示画面に表示される各ボタン（アイコン）の操作設定を有効とするか無効とするかを設定することができる（例えば、特許文献１参照。）。この設定が存在する理由は、特定のボタンの操作設定を無効とすることによって、変更する意思のないミシンの制御情報がオペレータの誤操作や誤接触によって変更されてしまうのを防ぐことにある。
例えば、図１０に示すように、現在選択中の縫製パターンが他のダイレクトパターンＰ０１（デフォルトの縫製パターンの仕様を変更したもの）等に変更されたくない場合、Ｐ０１のボタンＢ１の操作設定を無効とすることにより、現在選択中の縫製パターンがダイレクトパターンＰ０１に変更されることを防げる。
操作パネルは、通常操作モードの画面と操作設定の有効無効の切り替えを行う操作設定モードの画面とに切り替え可能である。操作設定モードにおいて操作設定を行う際には、ボタンを長押し（例えば、300msec以上）することにより設定する。操作設定モードで長押しされたボタンの操作設定は、有効から無効へと切り替わる。もちろん、無効となっていれば有効に切り替えることができる。
図１１に示すように、操作設定モードの画面においては、操作設定が無効となっているボタンＢ１上には操作設定無効を示すマークＭが表示される。一方、図１０に示すように、通常操作モードの画面においては、操作設定が無効となっているボタンＢ１（ダイレクトパターンＰ０１）の枠は消え、そのボタンＢ１の操作は無効となる。
【特許文献１】特開２００３−１９９９８５号公報
【発明の開示】
【発明が解決しようとする課題】
【０００３】
しかしながら、現在選択中の縫製パターンが複数表示されるどのダイレクトパターンにも変更されたくないといった場合、図１１の場合においては、Ｐ０１〜Ｐ１０の１０個のダイレクトパターン選択ボタンＢ１〜Ｂ１０の操作設定を一つずつ無効にしなければならず手間がかかる。また、現在選択中の縫製パターンがユーザーパターン（内部に予め記憶された縫製パターン）であるかメディアパターン（外部接続により読み込まれる縫製パターン）であるかにかかわらず、現在選択中の縫製パターンがどのダイレクトパターンにも変更されたくないといった場合であれば、ユーザーパターンで１０個、メディアパターンで１０個の計２０個のダイレクトパターン選択ボタンの操作設定を一つずつ無効にしなければならず、さらに手間がかかるという問題があった。
【０００４】
そこで、本発明は、上記課題を解決するためになされたものであり、操作パネルに表示される操作設定の有効と無効の切り替えの手間を軽減することができるミシンを提供することを目的とする。
【課題を解決するための手段】
【０００５】
請求項１に記載の発明は、
縫製に際してユーザーからの指示入力がなされる複数の入力部と、前記複数の入力部の表示と共にユーザーに報知する複数の画面情報を表示する表示部と、を備える操作パネルと、ユーザーに押下された前記入力部の操作条件を検出して、予め記憶した設定条件を満たすか否かを判別して前記入力部による入力を有効又は無効に切り替える制御手段と、を備えるミシンにおいて、前記表示部に表示される画面毎に、前記入力部による入力の有効又は無効に連動させる入力部群を記憶する入力部群記憶手段と、前記表示部に表示される互いの画面間で前記入力部による入力の有効又は無効に連動させる入力部群を有する画面群を記憶する画面群記憶手段と、を備え、前記制御手段は、前記設定条件が少なくとも第1の条件、第２の条件、第３の条件であって、前記入力部の操作条件が第１の条件を満たす場合に、ユーザーにより押下された入力部による入力を有効又は無効に切り替え、前記操作条件が前記第２の条件を満たす場合に、前記入力部群記憶手段に記憶されているユーザーにより押下された入力部と同じ群の入力部による入力を有効又は無効に切り替え、前記操作条件が前記第３の条件を満たす場合に、前記画面群記憶手段に記憶されているユーザーにより押下された入力部を含む入力部群を有する各画面の入力部と同じ群の入力部による入力を有効又は無効に切り替えるように連動させることを特徴とする。
【０００６】
請求項２に記載の発明は、請求項１に記載のミシンにおいて、前記設定条件は、前記入力部の連続押下時間であり、前記第１〜第３の条件の順により長い押下時間が設定され、前記制御手段は、前記入力部の連続押下時間が第１の連続押下時間以上で第２の連続押下時間未満である場合に、第１の条件を満たすとして、ユーザーにより押下された入力部による入力を有効又は無効に切り替え、前記入力部の連続押下時間が第２の連続押下時間以上で第３の連続押下時間未満である場合に、第２の条件を満たすとして、前記入力部群記憶手段に記憶されているユーザーにより押下された入力部と同じ群の入力部による入力を有効又は無効に切り替え、前記入力部の連続押下時間が第３の連続押下時間以上である場合に、第３の条件を満たすとして、前記画面群記憶手段に記憶されているユーザーにより押下された入力部を含む入力部群を有する各画面の入力部と同じ群の入力部による入力を有効又は無効に切り替えるように連動させることを特徴とする。
【０００７】
請求項３に記載の発明は、請求項１又は２に記載のミシンにおいて、
ユーザーに押下された入力部毎、前記入力部群記憶手段に記憶された入力部群毎、前記画面群記憶手段に記憶された画面群毎のいずれの範囲で入力部による入力を有効又は無効に切り替えるように連動させるかを設定する範囲設定手段を備えることを特徴とする。
【０００８】
請求項４に記載の発明は、請求項１〜３のいずれか一項に記載のミシンにおいて、
前記制御手段は、入力を有効又は無効に切り替えるように連動させる入力部の表示を同一色で表示させることを特徴とする。
【発明の効果】
【０００９】
請求項１に記載の発明によれば、制御手段は、入力部の操作条件が第１の条件を満たす場合に、ユーザーにより押下された入力部による入力を有効又は無効に切り替え、操作条件が第２の条件を満たす場合に、入力部群記憶手段に記憶されているユーザーにより押下された入力部と同じ群の入力部による入力を有効又は無効に切り替え、操作条件が第３の条件を満たす場合に、画面群記憶手段に記憶されているユーザーにより押下された入力部を含む入力部群を有する各画面の入力部と同じ群の入力部による入力を有効又は無効に切り替えるように連動させる。
これにより、同じ画面において表示されている複数の入力部のうち、入力部群記憶手段に記憶されている入力部群毎に一括して入力の有効又は無効を切り替えることができるようになる。
また、異なる画面にわたって表示される複数の入力部群のうち、画面群記憶手段に記憶されている画面群の入力部群毎に一括して入力の有効又は無効を切り替えることができるようになる。
よって、入力部毎に有効又は無効の切り替え操作をする必要がなくなり、操作パネルに表示される入力部の操作設定の有効と無効の切り替えの手間を軽減することができる。
また、画面毎に入力部の全データを検索する必要がなく、画面単位で把握できるので、制御手段の処理速度を速めることができる。
【００１０】
請求項２に記載の発明によれば、入力設定条件は、入力部の連続押下時間であり、第１〜第３の条件の順により長い押下時間が設定され、制御手段は、入力部の連続押下時間が第１の連続押下時間以上で第２の連続押下時間未満である場合に、第１の条件を満たすとして、ユーザーにより押下された入力部による入力を有効又は無効に切り替え、入力部の連続押下時間が第２の連続押下時間以上で第３の連続押下時間未満である場合に、第２の条件を満たすとして、入力部群記憶手段に記憶されているユーザーにより押下された入力部と同じ群の入力部による入力を有効又は無効に切り替え、入力部の連続押下時間が第３の連続押下時間以上である場合に、第３の条件を満たすとして、画面群記憶手段に記憶されているユーザーにより押下された入力部を含む入力部群を有する各画面の入力部と同じ群の入力部による入力を有効又は無効に切り替えるように連動させる。
これにより、同じ画面において表示されている複数の入力部のうち、入力部群記憶手段に記憶されている入力部群毎に一括して入力の有効又は無効を切り替えることができるようになる。
また、異なる画面にわたって表示される複数の入力部群のうち、画面群記憶手段に記憶されている画面群の入力部群毎に一括して入力の有効又は無効を切り替えることができるようになる。
よって、入力部毎に有効又は無効の切り替え操作をする必要がなくなり、操作パネルに表示される入力部の操作設定の有効と無効の切り替えの手間を軽減することができる。
また、画面毎に入力部の全データを検索する必要がなく、画面単位で把握できるので、制御手段の処理速度を速めることができる。
【００１１】
請求項３に記載の発明によれば、範囲設定手段を備えることにより、ユーザーは、どの範囲で入力部の有効又は無効の連動を行わせるかを決めることができるようになる。
よって、操作パネルの仕様やユーザーの熟練度等によって使い分けることができる。
【００１２】
請求項４に記載の発明によれば、視覚を通じて入力部群をユーザーに認識させることにより、ユーザーは何ら操作することなく、操作パネルを一見するだけで入力部群を認識することができる。
【発明を実施するための最良の形態】
【００１３】
以下、図面を参照して、本発明に係るミシンの実施形態について説明する。
＜ミシンの構成＞
図１に示すように、ミシン１は、ミシン本体２と、ミシン本体２の下方に設けられたミシンモータ３と、踏み込み操作によりミシン１を駆動させるペダル４と、ユーザーが指示を入力するとともに縫製に関する情報が表示される操作パネル５と、ミシン１の各部を制御する制御手段としての制御装置６と、を備えている。
ミシン本体２は、主軸２１に針棒２２が連結されており、主軸２１の回転により針棒２２が上下動して縫い針２３を上下動させ、縫製を行う。
ミシンモータ３は、主軸２１を回転させる駆動源であり、その駆動はベルト３１を介して主軸２１に伝達される。
ペダル４は、制御装置６に接続されており、ペダル４の踏み込み信号が制御装置６に伝達される。そして、制御装置６は、その信号に応じた速度でミシンモータ３を駆動させる。
【００１４】
（操作パネル）
操作パネル５は、例えば、図２に示すように、縫製に際してユーザーからの指示入力がなされる複数の入力部５１と、複数の入力部５１の表示と共にユーザーに報知する複数の画面情報を表示する表示部５２と、を備えている。
操作パネル５は、いわゆるタッチパネル式のものであり、表示部５２により液晶表示がなされ、この表示部５２に透明のタッチセンサが重ね合わせられている。操作パネル５は、例えば、各種操作ボタンが操作されたことに基づく各種操作信号を制御装置６に送信する。制御装置６は、その受信信号に応じて、様々な演算や制御処理を実行する。そして、操作パネル５から入力された各種縫製条件であって縫製処理に関するデータが所定の回線を介して制御装置６に送信され、制御装置６はミシン１の縫製制御を行う。
【００１５】
操作パネル５の画面である表示部５２には、様々な操作ボタンやスイッチ、各種設定値や各種縫製データ等を表示可能になっている。表示部５２には、各ボタンの有効又は無効の操作設定を行うための操作設定モードと縫製条件等の入力を行う通常操作モードとを切り替えて表示できる。
具体的には、入力部５１は、図３，４に示すように、１０種類のカスタムデータに変更するダイレクトパターン選択ボタン７０〜７９，８０〜８９、Ｘ方向の拡大率変更ボタン９１、Ｙ方向の拡大率変更ボタン９２、ミシンモータ３の回転速度変更ボタン９３、糸に付与する張力を変更する糸張力変更ボタン９４等であり、これらが表示部５２に表示されている。これらは、それぞれボタンに触れることにより条件の変更を行うことができ、連続して押下し続けることで操作設定の有効と無効の切替を個別に行うことができる。
【００１６】
ここで、図３は、制御装置６に予め記憶されているデフォルトの縫製パターン（以下、ユーザーパターンという）を表示するものであり、図４は、制御装置６への外部記憶媒体に記憶された縫製パターン（以下、メディアパターンという）を表示するものである。外部記憶媒体に記憶された縫製パターンを表示するためには、外部記憶媒体を制御装置６に接続し、制御装置６によって読み込む。いずれも縫製パターンを決定づける必要なデータが共通しており、詳細な条件の変更方法は同じである。
【００１７】
本実施形態は、表示部５２に表示されているダイレクトパターン選択ボタン７０〜７９、８０〜８９のうち、何れかのボタンが連続して押下された場合に、その押下時間に応じて、（１）押下されたボタンの有効又は無効の操作の設定のみを行う、（２）押下されたボタンがある画面における１０個のダイレクトパターン選択ボタン７０〜７９の有効又は無効の操作の設定を行う、（３）全画面における２０個のダイレクトパターン選択ボタン７０〜７９、８０〜８９の有効又は無効の操作の設定を行う、場合のそれぞれについて詳細に後述する。なお、ダイレクトパターン選択ボタン７０〜７９、８０〜８９はあくまでも一例であり、他のボタンの操作設定にも適用できることは勿論である。
【００１８】
（制御装置）
制御装置６は、図２に示すように、ミシンの動作を制御するＣＰＵ６１と、各種機能や動作の実現に係る各種プログラムや制御データ等を記憶するＲＯＭ６２と、ＲＯＭ６２から読み出されたプログラムやデータ等の格納領域や作業領域等を構成するＲＡＭ６３とを備え、ミシンモータ３、ペダル４、他のアクチュエータ等が電気的に接続されている。制御装置６は、インターフェース（Ｉ／Ｆ）を介して操作パネル５と接続されており、その操作パネル５と各種情報を送受信可能に構成されている。
【００１９】
ＲＯＭ６２には、図５に示すように、表示部５２に表示される画面毎に、表示されるボタン個々について、ボタン番号と、ボタングループ番号と、表示されるイメージ（アイコンの図柄）が設定されたボタングループ番号テーブルがデータとして記憶されている。
ボタングループ番号テーブルは、ボタン番号とボタングループ番号を項目に持つデータテーブルである。ボタングループ番号テーブルは操作設定モードの画面数分用意されている。
【００２０】
ボタン番号は、画面内に表示される各ボタンを識別するために割り振られる、ボタンと一対一で対応する番号である。
ボタングループ番号は、有効又は無効の操作設定を一括して設定したいボタンのグループ（入力部群。以下、ボタングループとする）に割り振る番号である。ボタングループに割り振る番号は０以外でグループ毎に番号を割り振る。操作設定が一括して設定されないボタン、つまりどのボタングループにも属さないボタンには０を設定する。従って、ＲＯＭ６２は、入力部群記憶手段として機能する。
図５に示すボタングループ番号テーブルにおいては、ユーザーパターン標準画面とメディアパターン標準画面に存在する、２０個のダイレクトパターン選択ボタン７０〜７９，８０〜８９をボタングループとした際の、ユーザーパターン標準画面とメディアパターン標準画面それぞれのボタングループ番号テーブルである。ボタングループ番号テーブルで定めたボタングループを示すために、同じボタングループ同士のボタン７０〜７９，８０〜８９は、ボタン枠を同じ色で表示するようにする。図５においては、同じボタングループとなっているダイレクトパターン選択ボタンのボタン枠は赤で表示している。
【００２１】
ＲＯＭ６２には、図６に示すように、操作設定の際に関連させる画面について設定された関連画面番号テーブルがデータとして記憶されている。
関連画面番号テーブルとは、設定画面番号と関連画面番号を項目に持つデータテーブルである。
設定画面番号は画面を識別するために割り振られる、画面と一対一で対応する番号である。
関連画面番号は、有効又は無効の操作設定を一括して設定したい画面のグループ（画面群。以下、画面グループとする）に割り振る番号である。
画面に存在するいずれかのボタンが、画面間に及ぶボタングループに属している場合、そのボタングループが存在する全ての画面の関連画面番号には、０以外の同じ番号を割り振る。画面間に及ぶボタングループに属するボタンが存在しない画面の関連画面番号には０を設定する。従って、ＲＯＭ６２は、画面群記憶手段として機能する。ここで、関連画面番号は、ボタングループ番号と同じ番号が付されている。これは、ボタングループの数が増えた場合にデータの整理が好都合である。
図６に示す関連画面番号テーブルにおいては、ユーザーパターン標準画面とメディアパターン標準画面のボタングループ番号テーブルが、図５であった際の関連画面番号テーブルである。
【００２２】
ＲＯＭ６２には、入力部５１の設定条件が記憶されている。設定条件は、第１の条件から第３の条件まで設定されている。
具体的には、設定条件は入力部５１の連続押下時間である。
第１の条件は、連続押下時間が300msec（第１の連続押下時間）以上で600msec（第２の連続押下時間）未満である。
第２の条件は、連続押下時間が600msec（第２の連続押下時間）以上で900msec（第３の連続押下時間）未満である。
第３の条件は、連続押下時間が900msec（第３の連続押下時間）以上である。
【００２３】
＜操作の設定の処理＞
ここで、一例としてダイレクトパターン選択ボタン７０〜７９、８０〜８９の操作の有効又は無効の設定の処理について説明する。なお、操作設定の対象となるのは、ダイレクトパターン選択ボタン７０〜７９、８０〜８９だけでなく、表示部５２に表示される全てのボタンが対象となる。
図７に示すように、表示部５２に表示されたダイレクトパターン選択ボタン７０〜７９、８０〜８９のうち、ボタン７０が押下されると、ＣＰＵ６１は、入力部の操作条件として押下されている時間を計測して検出し、予め記憶した設定条件として、連続押下時間が300msec以上であるか否かを判断する（ステップＳ１）。
ステップＳ１において、ＣＰＵ６１は、連続押下時間が300msecを経過したした時点で操作設定モードであると判別する。さらに、ＣＰＵ６１は、連続押下時間が300msec以上であると判断した場合（ステップＳ１：ＹＥＳ）、ＣＰＵ６１は、押下されたボタン７０のみの操作設定を有効から無効、又は無効から有効に切り替える（ステップＳ２）。一方、ＣＰＵ６１が、連続押下時間が300msec未満であると判断した場合（ステップＳ１：ＮＯ）、ＣＰＵ６１は、本処理を終了させ、続いて通常モードとして、ボタン７０が操作されたものと判別して、ＣＰＵはボタン７０の本来機能を実現するために対応するプログラム等の処理を実行する（詳細は省略）。
【００２４】
次いで、ＣＰＵ６１は、予め記憶した設定条件として、連続押下時間が600msec以上であるか否かを判断する（ステップＳ３）。
ステップＳ３において、ＣＰＵ６１は、連続押下時間が600msec以上であると判断した場合（ステップＳ３：ＹＥＳ）、ＣＰＵ６１は、押下されているボタン７０のボタングループ番号をＲＯＭ６２に記憶されたボタングループ番号テーブルから読み出す（ステップＳ４）。この例では、図５に示すように、ボタングループ番号は「１」である。
【００２５】
次いで、ＣＰＵ６１は、ステップＳ４で読み出したボタングループ番号「１」が０以外であるか否かを判断する（ステップＳ５）。
ステップＳ５において、ＣＰＵ６１は、ボタングループ番号が０以外であると判断した場合（ステップＳ５：ＹＥＳ）、ＣＰＵ６１は、押下されたボタン７０が属する画面（ユーザーパターン画面）において、当該ボタン７０と同じボタングループ番号「１」を有する全てのボタン番号「７０〜７９」を検索し（ステップＳ６）、ＣＰＵ６１は、同じボタングループ番号「１」を有するボタン番号があるか否かを判断する（ステップＳ７）。一方、ＣＰＵ６１が、ボタングループ番号が０であると判断した場合（ステップＳ５：ＮＯ）、ＣＰＵ６１は、本処理を終了させる。
ステップＳ７において、ＣＰＵ６１は、押下されたボタン７０と同じボタングループ番号「１」のボタンが一つでもあったと判断した場合（ステップＳ７：ＹＥＳ）、ＣＰＵ６１は、検索により発見したボタン「７１〜７９」の操作設定を有効から無効、又は無効から有効に切り替える（ステップＳ８）。一方、ステップＳ７において、ＣＰＵ６１は、押下されたボタン７０と同じボタングループ番号「１」のボタンが一つでもないと判断した場合（ステップＳ７：ＮＯ）、ＣＰＵ６１は、以下のステップＳ９の処理を行う。
【００２６】
次いで、ＣＰＵ６１は、予め記憶した設定条件として、連続押下時間が900msec以上であるか否かを判断する（ステップＳ９）。
ステップＳ９において、ＣＰＵ６１は、連続押下時間が900msec以上であると判断した場合（ステップＳ９：ＹＥＳ）、ＣＰＵ６１は、押下されているボタン７０の画面番号「Ｇ１」に対応する関連画面番号「１」をＲＯＭ６２に記憶された関連画面番号テーブルから読み出す（ステップＳ１０）。
【００２７】
次いで、ＣＰＵ６１は、ステップＳ１０で読み出した関連画面番号「１」が０以外であるか否かを判断する（ステップＳ１１）。
ステップＳ１１において、ＣＰＵ６１は、関連画面番号「１」が０以外であると判断した場合（ステップＳ１１：ＹＥＳ）、ＣＰＵ６１は、押下されたボタン７０が属する画面と同じ関連画面番号「１」を有する全ての画面を検索し（ステップＳ１２）、ＣＰＵ６１は、同じ関連画面番号「１」を有する画面があるか否かを判断する（ステップＳ１３）。この例では、図６に示すように、メディアパターンの画面「Ｇ２」の関連画面番号「１」が同じ番号である。一方、ＣＰＵ６１が、関連画面番号が０であると判断した場合（ステップＳ１１：ＮＯ）、ＣＰＵ６１は、本処理を終了させる。
【００２８】
ステップＳ１３において、ＣＰＵ６１は、押下されたボタンが属する画面と同じ関連画面番号「１」のボタンが一つでもあったと判断した場合（ステップＳ１３：ＹＥＳ）、ＣＰＵ６１は、検索により発見した画面のボタングループ番号「１」を検索し（ステップＳ１４）、ＣＰＵ６１は、同じボタングループ番号を有するボタン番号があるか否かを判断する（ステップＳ１５）。一方、ＣＰＵ６１が、関連画面番号が０であると判断した場合（ステップＳ１３：ＮＯ）、ＣＰＵ６１は、本処理を終了させる。
【００２９】
ステップＳ１５において、ＣＰＵ６１は、押下されたボタン７０と同じボタングループ番号「１」のボタンが一つでもあったと判断した場合（ステップＳ１５：ＹＥＳ）、ＣＰＵ６１は、検索により発見したボタン７１〜７９、８０〜８９の操作設定を有効から無効、又は無効から有効に切り替え（ステップＳ１６）、本処理を終了させる。一方、ステップＳ１５において、ＣＰＵ６１は、押下されたボタン７０と同じボタングループ番号「１」のボタンが一つでもないと判断した場合（ステップＳ１５：ＮＯ）、ＣＰＵ６１は、本処理を終了させる。
【００３０】
＜作用効果＞
上記構成を有するミシン１によれば、制御装置６は、ボタン５１の連続押下時間が第１の連続押下時間（300msec）以上で第２の連続押下時間（600msec）未満である第１の条件を満たした場合に、ユーザーにより押下されたボタン５１による入力を有効又は無効に切り替え、連続押下時間が第２の連続押下時間（600msec）以上で第３の連続押下時間（900msec）未満である第２の条件を満たした場合に、ＲＯＭ６２に記憶されているユーザーにより押下されたボタン７０と同じボタングループ番号「１」のボタン７１〜７９の操作設定を有効又は無効に切り替えるように連動させる。
これにより、同じ画面において表示されている複数のボタン７０〜７９のうち、ＲＯＭ６２に記憶されているボタングループ番号「１」毎に一括して入力の有効又は無効を切り替えることができるようになる。
【００３１】
また、制御装置６は、ボタン５１の連続押下時間が第３の連続押下時間（900msec）以上である第３の条件を満たした場合に、ＲＯＭ６２に記憶されているユーザーにより押下されたボタン７０が属する画面「Ｇ１」と同じ関連画面番号「１」を有する各画面におけるボタン５１と同じボタングループ番号「１」のボタン５１による入力を有効又は無効に切り替えるように連動させる。
これにより、異なる画面にわたって表示される複数のボタン７０〜７９，８０〜８９のうち、ＲＯＭ６２に記憶されている関連画面のボタングループ毎に一括して入力の有効又は無効を切り替えることができるようになる。
よって、ボタン７０〜７９，８０〜８９毎に有効又は無効の切り替え操作をする必要がなくなり、操作パネル５に表示されるボタン７０〜７９，８０〜８９の操作設定の有効と無効の切り替えの手間を軽減することができる。
【００３２】
また、同じグループ番号のボタンを同じ色で縁取りすることで、視覚を通じてボタン７０〜７９，８０〜８９をユーザーに認識させることにより、ユーザーは何ら操作することなく、操作パネル５を一見するだけで同じボタングループのボタン７０〜７９，８０〜８９を認識することができる。
【００３３】
＜その他＞
なお、本発明の範囲は上記実施形態に限られるものではない。例えば、上記実施形態においては、押下時間に応じて、（１）押下されたボタンの有効又は無効の操作の設定のみを行う、（２）押下されたボタンがある画面における１０個のダイレクトパターン選択ボタン７０〜７９の有効又は無効の操作の設定を行う、（３）全画面における２０個のダイレクトパターン選択ボタン７０〜７９、８０〜８９の有効又は無効の操作の設定を行うようにしたが、押下時間に代えて、第２の実施例として、同一のボタンを所定時間内での連続押下する回数により第１〜３の条件を選択しても良い。
例えば、同一ボタンを５００ｍｓ以内に連続２回押下する操作条件があった場合に操作設定モードとして、第１の条件を満たすと判別し、同一ボタンを５００ｍｓ以内に連続３回押下する操作条件があった場合に第２の条件を満たすと判別し、同一ボタンを５００ｍｓ以内に連続４回押下する操作条件があった場合に第３の条件を満たすと判別して、各々の条件に対応した１又は複数範囲のボタンについて有効又は無効を切替えてもよい。
さらに第３の実施例として、操作パネル５から一括して操作設定する範囲を設定することも可能である。
具体的には、図８に示すように、操作パネル５の表示部５２には、画面切替ボタン１００が常時表示されている。この画面切替ボタン１００を押下すると、ＣＰＵ６１は一括して操作設定を行う範囲の選択画面を表示させる。かかる選択画面には、（１）押下されたボタンの有効又は無効の操作の設定のみを行うための個別設定ボタン１０１、（２）押下されたボタンがある画面内での同じボタングループ番号の有効又は無効の操作の設定を行うための画面内設定ボタン１０２、（３）全画面での同じボタングループ番号の有効又は無効の操作の設定を行うための有効又は無効の操作の設定を行う全画面設定ボタン１０３が表示される。従って、個別設定ボタン１０１、画面内設定ボタン１０２、全画面設定ボタン１０３により、範囲設定手段が構成される。
また、画面切替ボタン１００を押下すると、ＣＰＵ６１は、通常操作モードの画面と操作設定モードの画面とに切り替えるモード切替ボタン１０４，１０５を表示させる。
【００３４】
ここで、個別設定ボタン１０１、画面内設定ボタン１０２、全画面設定ボタン１０３のいずれかにより操作設定を行ったときのダイレクトパターン選択ボタン７０〜７９、８０〜８９の操作の有効又は無効の設定の処理について説明する。なお、用いる各テーブルは上記実施形態と同じものである。
図９に示すように、表示部５２に表示されたダイレクトパターン選択ボタン７０〜７９、８０〜８９のうち、ボタン７０が押下されると、ＣＰＵ６１は、押下されている時間を計測し、連続押下時間が300msec以上であるか否かを判断する（ステップＳ２１）。
ステップＳ２１において、ＣＰＵ６１は、連続押下時間が300msec以上であると判断した場合（ステップＳ２１：ＹＥＳ）、ＣＰＵ６１は、押下されたボタン７０のみの操作設定を有効から無効、又は無効から有効に切り替える（ステップＳ２２）。一方、ＣＰＵ６１が、連続押下時間が300msec未満であると判断した場合（ステップＳ２１：ＮＯ）、ＣＰＵ６１は、本処理を終了させる。
【００３５】
次いで、ＣＰＵ６１は、操作設定が画面内設定ボタン１０２又は全画面設定ボタン１０３であるか否かを判断する（ステップＳ２３）。
ステップＳ２３において、ＣＰＵ６１は、操作設定が画面内設定ボタン１０２又は全画面設定ボタン１０３であると判断した場合（ステップＳ２３：ＹＥＳ）、ＣＰＵ６１は、押下されているボタン７０のボタングループ番号をＲＯＭ６２に記憶されたボタングループ番号テーブルから読み出す（ステップＳ２４）。この例では、図５に示すように、ボタングループ番号は「１」である。
【００３６】
次いで、ＣＰＵ６１は、ステップＳ２４で読み出したボタングループ番号「１」が０以外であるか否かを判断する（ステップＳ２５）。
ステップＳ２５において、ＣＰＵ６１は、ボタングループ番号が０以外であると判断した場合（ステップＳ２５：ＹＥＳ）、ＣＰＵ６１は、押下されたボタン７０が属する画面（ユーザーパターン画面）において、当該ボタン７０と同じボタングループ番号「１」を有する全てのボタン番号「７０〜７９」を検索し（ステップＳ２６）、ＣＰＵ６１は、同じボタングループ番号「１」を有するボタン番号があるか否かを判断する（ステップＳ２７）。一方、ＣＰＵ６１が、ボタングループ番号が０であると判断した場合（ステップＳ２５：ＮＯ）、ＣＰＵ６１は、本処理を終了させる。
ステップＳ２７において、ＣＰＵ６１は、押下されたボタン７０と同じボタングループ番号「１」のボタンが一つでもあったと判断した場合（ステップＳ２７：ＹＥＳ）、ＣＰＵ６１は、検索により発見したボタン「７１〜７９」の操作設定を有効から無効、又は無効から有効に切り替える（ステップＳ２８）。一方、ステップＳ２７において、ＣＰＵ６１は、押下されたボタン７０と同じボタングループ番号「１」のボタンが一つでもないと判断した場合（ステップＳ２７：ＮＯ）、ＣＰＵ６１は、以下のステップＳ２９の処理を行う。
【００３７】
次いで、ＣＰＵ６１は、操作設定が全画面設定ボタン１０３であるか否かを判断する（ステップＳ２９）。
ステップＳ２９において、ＣＰＵ６１は、操作設定が全画面設定ボタン１０３であると判断した場合（ステップＳ２９：ＹＥＳ）、ＣＰＵ６１は、押下されているボタン７０の画面番号「Ｇ１」に対応する関連画面番号「１」をＲＯＭ６２に記憶された関連画面番号テーブルから読み出す（ステップＳ３０）。
【００３８】
次いで、ＣＰＵ６１は、ステップＳ３０で読み出した関連画面番号「１」が０以外であるか否かを判断する（ステップＳ３１）。
ステップＳ３１において、ＣＰＵ６１は、関連画面番号「１」が０以外であると判断した場合（ステップＳ３１：ＹＥＳ）、ＣＰＵ６１は、押下されたボタン７０が属する画面と同じ関連画面番号「１」を有する全ての画面を検索し（ステップＳ３２）、ＣＰＵ６１は、同じ関連画面番号「１」を有する画面があるか否かを判断する（ステップＳ３３）。この例では、図６に示すように、メディアパターンの画面「Ｇ２」の関連画面番号「１」が同じ番号である。一方、ＣＰＵ６１が、関連画面番号が０であると判断した場合（ステップＳ３１：ＮＯ）、ＣＰＵ６１は、本処理を終了させる。
【００３９】
ステップＳ３３において、ＣＰＵ６１は、押下されたボタンが属する画面と同じ関連画面番号「１」のボタンが一つでもあったと判断した場合（ステップＳ３３：ＹＥＳ）、ＣＰＵ６１は、検索により発見した画面のボタングループ番号「１」を検索し（ステップＳ３４）、ＣＰＵ６１は、同じボタングループ番号を有するボタン番号があるか否かを判断する（ステップＳ３５）。一方、ＣＰＵ６１が、関連画面番号が０であると判断した場合（ステップＳ３３：ＮＯ）、ＣＰＵ６１は、本処理を終了させる。
【００４０】
ステップＳ３５において、ＣＰＵ６１は、押下されたボタン７０と同じボタングループ番号「１」のボタンが一つでもあったと判断した場合（ステップＳ３５：ＹＥＳ）、ＣＰＵ６１は、検索により発見したボタン７１〜７９、８０〜８９の操作設定を有効から無効、又は無効から有効に切り替え（ステップＳ３６）、本処理を終了させる。一方、ステップＳ３５において、ＣＰＵ６１は、押下されたボタン７０と同じボタングループ番号「１」のボタンが一つでもないと判断した場合（ステップＳ３５：ＮＯ）、ＣＰＵ６１は、本処理を終了させる。
【００４１】
以上のように、操作パネル５に範囲設定画面を表示し、この画面から連動させて一括設定する操作設定の範囲を決定することにより、ユーザーは、どの範囲でボタン５１の有効又は無効の連動を行わせるかを決めることができるようになる。
よって、操作パネル５の仕様やユーザーの熟練度等によって使い分けることができる。
【００４２】
また、ボタン５１の有効又は無効の連動を行わせる範囲は、ボタン５１の連続押下時間で決定してもよいし、範囲設定画面でその範囲を設定してもよい。もちろん双方を採用しても片方だけ採用してもよい。
また、第１〜３の条件にさらに第４の条件を加え、第１〜第ｎ条件としてもよく、少なくも第１〜３の条件を備えればよい。
【図面の簡単な説明】
【００４３】
【図１】ミシンの概略を示す図。
【図２】制御装置まわりの構成を示すブロック図。
【図３】表示部に表示される操作設定モードのユーザーパターン画面の一例を示す図。
【図４】表示部に表示される操作設定モードのメディアパターン画面の一例を示す図。
【図５】ボタングループ番号テーブルの一例を示す図。
【図６】関連画面番号テーブルの一例を示す図。
【図７】操作設定の処理を示すフローチャート。
【図８】操作設定の範囲を設定する画面の一例を示す図。
【図９】他の例の操作設定の処理を示すフローチャート。
【図１０】従来技術における表示部に表示される通常操作モードの画面の一例を示す図。
【図１１】従来技術における表示部に表示される操作設定モードの画面の一例を示す図。
【符号の説明】
【００４４】
１  ミシン
５  操作パネル
６  制御装置（制御手段）
５１  ボタン（入力部）
５２  表示部
６２  ＲＯＭ（入力部群記憶手段、画面群記憶手段）
７０〜７９  ダイレクトパターン選択ボタン（入力部）
８０〜８９  ダイレクトパターン選択ボタン（入力部）
１０１  個別設定ボタン（範囲設定手段）
１０２  画面内設定ボタン（範囲設定手段）
１０３  全画面設定ボタン（範囲設定手段）
【図１】
2010088495.tif 000003
【図２】
2010088495.tif 000004
【図３】
2010088495.tif 000005
【図４】
2010088495.tif 000006
【図５】
2010088495.tif 000007
【図６】
2010088495.tif 000008
【図７】
2010088495.tif 000009
【図８】
2010088495.tif 000010
【図９】
2010088495.tif 000011
【図１０】
2010088495.tif 000012
【図１１】
2010088495.tif 000013